【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
物体側から像側へ順に配置された、負の屈折力を有する第１レンズ群より構成される前群と、複数のレンズ群を含み全体として正の屈折力を有する後群より構成され、ズーミングに際して隣り合うレンズ群の間隔が変化するズームレンズにおいて、
前記複数のレンズ群は、物体側から像側へ順に配置された、正の屈折力の第２ａレンズ群、負の屈折力の第２ｂレンズ群、正の屈折力の第２ｃレンズ群を含み、
前記第２ｂレンズ群は、物体側から像側へ順に配置された、負レンズＬＮ１、正レンズＬＰ１、負レンズＬＮ２より構成され、
前記負レンズＬＮ１の焦点距離をｆＮ１、広角端における前記ズームレンズの焦点距離をｆｗとするとき、
１．０＜−ｆＮ１／ｆｗ＜２．８
なる条件式を満足することを特徴とするズームレンズ。
【請求項２】
広角端における前記ズームレンズのバックフォーカスをＳｋとするとき、
１．５＜Ｓｋ／ｆｗ＜５．０
なる条件式を満足することを特徴とする請求項１に記載のズームレンズ。
【請求項３】
広角端に比べて望遠端において、前記第２ｂレンズ群と前記第２ｃレンズ群の間隔は増大し、
広角端における前記第２ｂレンズ群と前記第２ｃレンズ群の間隔と、望遠端における前記第２ｂレンズ群と前記第２ｃレンズ群の間隔との差をＤｐｎｗｔとするとき、
０．２＜Ｄｐｎｗｔ／ｆｗ＜２．０
なる条件式を満足することを特徴とする請求項１又は２に記載のズームレンズ。
【請求項４】
前記負レンズＬＮ１は物体側および像側に凹面を向けた形状であり、前記正レンズＬＰ１は物体側および像側に凸面を向けた形状であり、前記負レンズＬＮ２は物体側および像側に凹面を向けた形状であり、
前記正レンズＬＰ１と前記負レンズＬＮ２は接合されていることを特徴とする請求項１乃至３のいずれか１項に記載のズームレンズ。
【請求項５】
前記負レンズＬＮ１の材料の屈折率をＮｄｎ１、前記正レンズＬＰ１の材料の屈折率をＮｄｐ１、前記負レンズＬＮ２の材料の屈折率をＮｄｎ２とするとき、
１．７＜Ｎｄｎ１＜２．１
１．７＜Ｎｄｐ１＜２．０
１．７＜Ｎｄｎ２＜２．１
なる条件式を満足することを特徴とする請求項１乃至４のいずれか１項に記載のズームレンズ。
【請求項６】
前記負レンズＬＮ１の材料のアッベ数をνｄｎ１、前記正レンズＬＰ１の材料のアッベ数をνｄｐ１、前記負レンズＬＮ２の材料のアッベ数をνｄｎ２とするとき、
２５．０＜νｄｎ１＜５０．０
１８．０＜νｄｐ１＜３０．０
３０．０＜νｄｎ２＜４５．０
なる条件式を満足することを特徴とする請求項１乃至５のいずれか１項に記載のズームレンズ。
【請求項７】
前記第１レンズ群の焦点距離をｆ１とするとき、
０．８＜−ｆ１／ｆｗ＜２．５
なる条件式を満足することを特徴とする請求項１乃至６のいずれか１項に記載のズームレンズ。
【請求項８】
前記第２ｂレンズ群の焦点距離をｆ２ｂとするとき、
１．２＜−ｆ２ｂ／ｆｗ＜５．０
なる条件式を満足することを特徴とする請求項１乃至７のいずれか１項に記載のズームレンズ。
【請求項９】
前記第２ｃレンズ群の焦点距離をｆ２ｃとするとき、
１．５＜ｆ２ｃ／ｆｗ＜５．０
なる条件式を満足することを特徴とする請求項１乃至８のいずれか１項に記載のズームレンズ。
【請求項１０】
前記第１レンズ群は、物体側から像側へ順に配置された、負レンズ、負レンズ、負レンズ、正レンズから構成されることを特徴とする請求項１乃至９のいずれか１項に記載のズームレンズ。
【請求項１１】
前記第２ａレンズ群は、負レンズと正レンズを接合した接合レンズより構成されることを特徴とする請求項１乃至１０のいずれか１項に記載のズームレンズ。
【請求項１２】
前記第２ａレンズ群は、正レンズより構成されることを特徴とする請求項１乃至１０のいずれか１項に記載のズームレンズ。
【請求項１３】
前記第２ｃレンズ群は、正レンズと負レンズとを接合した第１接合レンズと、該第１接合レンズより像側に配置された、負レンズと正レンズとを接合した第２接合レンズより構成されることを特徴とする請求項１乃至１２のいずれか１項に記載のズームレンズ。
【請求項１４】
前記第２ｃレンズ群は、正レンズと、該正レンズの像側に配置された、負レンズと正レンズとを接合した接合レンズより構成されることを特徴とする請求項１乃至１２のいずれか１項に記載のズームレンズ。
【請求項１５】
前記後群は、物体側から像側へ順に配置された、正の屈折力の第２レンズ群、正の屈折力の第３レンズ群、負の屈折力の第４レンズ群、正の屈折力の第５レンズ群より構成されることを特徴とする請求項１乃至１４のいずれか１項に記載のズームレンズ。
【請求項１６】
広角端から望遠端へのズーミングに際して、前記第１レンズ群は像側へ凸状の軌跡で移動し、前記第２レンズ群は物体側へ凸状の軌跡で移動し、前記第３レンズ群と前記第４レンズ群と前記第５レンズ群は、いずれも物体側へ移動することを特徴とする請求項１５に記載のズームレンズ。
【請求項１７】
前記第２レンズ群は、無限遠から近距離へのフォーカシングに際して像側へ移動することを特徴とする請求項１５又は１６に記載のズームレンズ。
【請求項１８】
前記第２レンズ群は、正レンズと、該正レンズの像側に配置された、負レンズと正レンズとを接合した接合レンズより構成されることを特徴とする請求項１５乃至１７のいずれか１項に記載のズームレンズ。
【請求項１９】
請求項１乃至１８のいずれか１項に記載のズームレンズと、該ズームレンズによって形成された像を受光する撮像素子を有することを特徴とする撮像装置。
【手続補正２】
【補正対象書類名】明細書
【補正対象項目名】０００９
【補正方法】変更
【補正の内容】
【０００９】
本発明のズームレンズは、物体側から像側へ順に配置された、負の屈折力を有する第１レンズ群より構成される前群と、複数のレンズ群を含み全体として正の屈折力を有する後群より構成され、ズーミングに際して隣り合うレンズ群の間隔が変化するズームレンズにおいて、前記複数のレンズ群は、物体側から像側へ順に配置された、正の屈折力の第２ａレンズ群、負の屈折力の第２ｂレンズ群、正の屈折力の第２ｃレンズ群を含み、前記第２ｂレンズ群は、物体側から像側へ順に配置された、負レンズＬＮ１、正レンズＬＰ１、負レンズＬＮ２より構成され、前記負レンズＬＮ１の焦点距離をｆＮ１、広角端における前記ズームレンズの焦点距離をｆｗとするとき、
１．０＜−ｆＮ１／ｆｗ＜２．８
なる条件式を満足することを特徴としている。
【手続補正３】
【補正対象書類名】明細書
【補正対象項目名】００２２
【補正方法】変更
【補正の内容】
【００２２】
後群ＬＲは物体側から像側へ順に、正の屈折力の第２０レンズ群（第２レンズ群）Ｌ２０、正の屈折力の第２ａレンズ群（第３レンズ群）Ｌ２ａ、負の屈折力の第２ｂレンズ群（第４レンズ群）Ｌ２ｂ、正の屈折力の第２ｃレンズ群（第５レンズ群）Ｌ２ｃを有する。広角端に比べて望遠端において、第２０レンズ群Ｌ２０と第２ａレンズ群Ｌ２ａの間隔が変化する。第２ａレンズ群Ｌ２ａと第２ｂレンズ群Ｌ２ｂが大きく、第２ｂレンズ群Ｌ２ｂと第２ｃレンズ群Ｌ２ｃの間隔が小さくなるように各レンズ群が移動してズーミングを行う。
【手続補正４】
【補正対象書類名】明細書
【補正対象項目名】００２９
【補正方法】変更
【補正の内容】
【００２９】
具体的には、負の屈折力の第２ｂレンズ群Ｌ２ｂを、物体側より像側へ順に配置された
、負レンズＬＮ１、正レンズＬＰ１、負レンズＬＮ２のレンズ構成としている。そして負
レンズＬＮ１の焦点距離をｆＮ１、広角端における全系（ズームレンズ）の焦点距離をｆｗとする。このとき、
１．０＜−ｆＮ１／ｆｗ＜２．８    ・・・（１）
なる条件式を満たすのが良いことを見出した。
【手続補正５】
【補正対象書類名】明細書
【補正対象項目名】００４９
【補正方法】変更
【補正の内容】
【００４９】
本発明のズームレンズは、収差補正上、負レンズＬＮ１が両凹形状（物体側および像側に凹面を向けた形状）、正レンズＬＰ１が両凸形状で負レンズＬＮ２が両凹形状であるのが良い。そして正レンズＬＰ１と負レンズＬＮ２を接合した接合レンズとするのが良い。負レンズＬＮ１を両凹形状とすることで、負レンズＬＮ１の負の屈折力を強くするのが容易になる。また正レンズＬＰ１と負レンズＬＮ２を接合することで、接合レンズ面の曲率を強くすることができ、色収差の補正が容易になる。
【手続補正６】
【補正対象書類名】明細書
【補正対象項目名】００５２
【補正方法】変更
【補正の内容】
【００５２】
第２ｃレンズ群Ｌ２ｃは、正レンズと負レンズを接合した接合レンズ（第１接合レンズ）、該第１接合レンズより像側に配置された負レンズと正レンズを接合した接合レンズ（第２接合レンズ）より構成される。又は第２ｃレンズ群Ｌ２ｃは、正レンズ、と該正レンズの像側に配置された負レンズと正レンズを接合した接合レンズより構成される。